(57)【要約】【課題】設定情報の不特定多数の機器への引き継ぎを防止することができる画像形成装置を提供すること。【解決手段】画像を形成する画像形成手段と、画像形成手段が動作するための設定値と画像形成手段の使用状況とを記憶する記憶手段と、データを読み書き可能な不揮発記憶領域であるＲＡＭとデータを読み出し可能かつ書き込み不能であって識別情報が記録された記憶領域であるＲＯＭとを有するとともにＲＡＭに設定値と使用状況とが書き込まれた外部メモリ、に対するデータの入出力を行う外部メモリインタフェース手段と、ＲＯＭから読み出した識別情報に対応する情報がＲＡＭに書き込まれているときにＲＡＭから読み出した使用状況によって記憶部に記憶された使用状況を書き換えるインポート手段と、を有するよう、画像形成装置を構成する。【選択図】図１
2017074745.tif 000002
【特許請求の範囲】
【請求項１】
画像を形成する画像形成手段と、
前記画像形成手段が動作するための設定値と、前記画像形成手段の使用状況と、を記憶する記憶手段と、
データを読み書き可能な不揮発記憶領域であるＲＡＭとデータを読み出し可能かつ書き込み不能であって識別情報が記録された記憶領域であるＲＯＭとを有するとともに前記ＲＡＭに前記設定値と前記使用状況とが書き込まれた外部メモリ、に対するデータの入出力を行う外部メモリインタフェース手段と、
前記ＲＯＭから読み出した前記識別情報に対応する情報が前記ＲＡＭに書き込まれているときに、前記ＲＡＭから読み出した前記使用状況によって前記記憶部に記憶された前記使用状況を書き換えるインポート手段と、
を有することを特徴とする画像形成装置。
【請求項２】
前記インポート手段は、前記ＲＡＭから読み出した前記使用状況によって前記記憶手段に記憶された前記使用状況を書き換えると、前記ＲＡＭに該画像形成装置を識別可能な機器情報を書き込むことを特徴とする、請求項１に記載の画像形成装置。
【請求項３】
前記インポート手段は、前記ＲＡＭに前記機器情報が書き込まれているときに、前記ＲＡＭから読み出した前記使用状況による前記記憶手段に記憶された前記使用状況の書き換えを行わないことを特徴とする、請求項２に記載の画像形成装置。
【請求項４】
前記インポート手段は、前記ＲＡＭから読み出した前記設定値により前記記憶手段に記憶された前記設定値を書き換えることを特徴とする、請求項１ないし３のいずれか一項に記載の画像形成装置。
【請求項５】
前記記憶手段に記憶された前記使用状況を前記ＲＡＭに書き込むとともに、前記ＲＯＭから読み出した前記識別情報に対応する情報を前記ＲＡＭに書き込むエクスポート手段をさらに有することを特徴とする、請求項１ないし４のいずれか一項に記載の画像形成装置。
【請求項６】
前記エクスポート手段は、前記記憶手段に記憶された前記設定値を前記ＲＡＭに書き込むことを特徴とする、請求項５に記載の画像形成装置。
【請求項７】
前記識別情報に対応する情報は、少なくとも前記識別情報を前記記憶手段に記憶された暗号鍵により暗号化した情報であることを特徴とする、請求項１ないし６のいずれか一項に記載の画像形成装置。
【請求項８】
前記識別情報に対応する情報は、少なくとも前記識別情報に基づいて生成された誤り検出符号であることを特徴とする、請求項１ないし６のいずれか一項に記載の画像形成装置。
【請求項９】
複数の画像形成装置を有して構成される画像形成システムであって、
前記画像形成装置は、
画像を形成する画像形成手段と、
前記画像形成手段が動作するための設定値と、前記画像形成手段の使用状況と、を記憶する記憶手段と、
データを読み書き可能な不揮発記憶領域であるＲＡＭとデータを読み出し可能かつ書き込み不能であって識別情報が記録された記憶領域であるＲＯＭとを有するとともに前記ＲＡＭに前記設定値と前記使用状況とが書き込まれた外部メモリ、に対するデータの入出力を行う外部メモリインタフェース手段と、
を有し、
一の前記画像形成装置は、
前記記憶手段に記憶された前記使用状況を前記ＲＡＭに書き込むとともに、前記ＲＯＭから読み出した前記識別情報に対応する情報を前記ＲＡＭに書き込むエクスポート手段をさらに有し、
他の前記画像形成装置は、
前記ＲＯＭから読み出した前記識別情報に対応する情報が前記ＲＡＭに書き込まれているときに、前記ＲＡＭから読み出した前記使用状況によって前記記憶手段に記憶された前記使用状況を書き換えるインポート手段をさらに有する
ことを特徴とする画像形成システム。
【請求項１０】
画像形成装置の設定引き継ぎ方法であって、
一の前記画像形成装置の記憶手段に記憶された使用状況を外部メモリのデータを読み書き可能な不揮発記憶領域であるＲＡＭに書き込むとともに、前記外部メモリの読み出し可能かつ書き込み不能な記憶領域であるＲＯＭに記録された識別情報に対応する情報を前記ＲＡＭに書き込むエクスポート工程と、
前記外部メモリの前記ＲＯＭから読み出した前記識別情報に対応する情報が前記ＲＡＭに書き込まれているときに、前記ＲＡＭから読み出した前記使用状況によって他の前記画像形成装置の記憶手段に記憶された前記使用状況を書き換えるインポート工程と、
を有する画像形成装置の設定引き継ぎ方法。
【発明の詳細な説明】
【技術分野】
【０００１】
本発明は、画像形成装置、画像形成システムおよび画像形成装置の設定引き継ぎ方法に関する。
【背景技術】
【０００２】
画像形成装置が故障するなどして別装置への交換が必要となったときには、新たな装置を元の装置と同様に継続して使用するために、新たな装置を元の装置と同様に設定することが必要となる。近年の装置の多機能化に伴い多岐にわたる設定項目を新たな装置に人手で設定するのは煩雑であり、作業時間が長引くとその間装置を利用できないため、利用者の利便性を損なうことになる。
【０００３】
そこで、装置入替時のダウンタイム短縮のため、外部メモリに保存（エクスポート）した元の装置の設定を新たな装置で読み込む（インポート）技術が知られている。
【０００４】
導入された画像形成装置に対し、印刷枚数などの使用状況に応じた費用を支払う形態のサービスがある。このようなサービス形態で使用されている画像形成装置を入れ替える場合は、設定のみならず印刷枚数など使用状況を示す課金のための情報も、元装置から新装置に引き継ぐ必要がある。
【０００５】
しかし、そのようなサービス形態で使用されている画像形成装置が複数存在したときに、１つの画像形成装置の設定と課金情報とを記憶した外部メモリを利用して本来入れ替え対象とすべき装置以外の装置に情報の引き継ぎを行うと、適切な設定が行われないのみならず、正しい課金ができないという問題が生じる。
【０００６】
かかる問題に関連して、特許文献１に、インポートデータをリプレイスインポートする際の誤操作を防ぐ画像形成装置が記載されている。
【発明の概要】
【発明が解決しようとする課題】
【０００７】
特許文献１に記載の技術により、外部メモリに記憶されたエクスポートした設定値がある装置でインポートされると使用済みであることを示す情報が付与されるため、その外部メモリから他の装置にインポートすることはできなくなる。しかし、エクスポートした設定値を事前にコピーして複数の外部メモリに記憶させ、それぞれ別の装置にインポートすることが依然として可能であるという問題は解消できない。
【０００８】
本発明は、上記のような課題を解決するためになされたものであり、設定情報の不特定多数の機器への引き継ぎを防止する画像形成装置、画像形成システムおよび画像形成装置の設定引き継ぎ方法を提供することを目的とする。
【課題を解決するための手段】
【０００９】
上述した課題を解決するために、本発明にかかる画像形成装置は、画像を形成する画像形成手段と、
前記画像形成手段が動作するための設定値と、前記画像形成手段の使用状況と、を記憶する記憶手段と、
データを読み書き可能な不揮発記憶領域であるＲＡＭとデータを読み出し可能かつ書き込み不能であって識別情報が記録された記憶領域であるＲＯＭとを有するとともに前記ＲＡＭに前記設定値と前記使用状況とが書き込まれた外部メモリ、に対するデータの入出力を行う外部メモリインタフェース手段と、
前記ＲＯＭから読み出した前記識別情報に対応する情報が前記ＲＡＭに書き込まれているときに、前記ＲＡＭから読み出した前記使用状況によって前記記憶部に記憶された前記使用状況を書き換えるインポート手段と、
を有する。
【発明の効果】
【００１０】
本発明にかかる画像形成装置、画像形成システムおよび画像形成装置の設定引き継ぎ方法は、設定情報の不特定多数の機器への引き継ぎを防止することができる。
【図面の簡単な説明】
【００１１】
【図１】本発明の実施形態にかかる画像形成装置１のハードウェア構成図である。
【図２】本発明の実施形態にかかる画像形成装置１の機能ブロック図である。
【図３】外部メモリ２が情報を記憶するテーブルの例である。
【図４】本実施形態の画像形成装置１におけるインポート処理のフローチャートである。
【図５】インポート処理の選択時の画面表示例である。
【図６】本実施形態の画像形成装置１におけるエクスポート処理のフローチャートである。
【図７】エクスポート処理の選択時の画面表示例である。
【図８】本発明の実施形態の画像形成システムの機能ブロック図である。
【発明を実施するための形態】
【００１２】
まず、本発明の実施形態にかかる画像形成装置１のハードウェア構成を説明する。図１は、本発明の実施形態にかかる画像形成装置１のハードウェア構成図である。図１に示すように、本発明の実施形態にかかる画像形成装置１は、ユーザインタフェース部１０と、外部メモリインタフェース部１１と、情報処理部１２と、記憶部１３と、画像形成部１４とを有し、外部メモリ２に対してアクセス可能である。
【００１３】
ユーザインタフェース部１０は、ユーザに装置の動作に関する情報を提供するとともに、ユーザからの入力を受けつける。ユーザインタフェース部１０は、例えば情報を視認可能に表示するディスプレイと接触した位置の座標を入力として受け付けるタッチセンサーとを重畳的に配置したタッチパネルにより構成可能である。
【００１４】
外部メモリインタフェース部１１は、外部メモリ２にアクセスしてデータの入出力を行う。外部メモリインタフェース部１１は、例えばＵＳＢ（登録商標）、ＳＤメモリーカード（登録商標）などの既存接続規格に準拠したコネクタおよびドライバにより構成可能である。
【００１５】
情報処理部１２は、ユーザインタフェース部１０へのユーザの入力等に基づく画像形成装置１による画像形成に関する情報を処理し、各部の動作を制御する。情報処理部１２は、メモリに読み込まれたプログラムを実行するＣＰＵにより構成可能である。
【００１６】
記憶部１３は、所定の情報を不揮発に記憶し、必要に応じて読み出す。記憶部１３は、ＨＤＤ（Hard Disk Drive）やＳＳＤ（Solid State Drive）などにより構成可能である。
【００１７】
画像形成部１４は、入力された画像データの受け付けおよび画像データの出力を行う。画像形成部１４は、光学的に画像入力を受け付けるスキャナや媒体への画像の出力を行うプリンタなどにより構成可能である。
【００１８】
続いて、本発明の実施形態にかかる画像形成装置１の機能ブロックを説明する。図２は、本発明の実施形態にかかる画像形成装置１の機能ブロック図である。図２に示すように、画像形成装置１は、ユーザインタフェース手段１００と、外部メモリインタフェース手段１１０と、インポート手段１２０と、エクスポート手段１２１と、記憶手段１３０と、画像形成手段１４０とを有する。また、外部メモリ２は、ＲＡＭ２００とＲＯＭ２１０とを有する。
【００１９】
ユーザインタフェース手段１００は、ユーザに装置の動作に関する情報を提供するとともに、ユーザからの入力を受けつける。ユーザインタフェース手段１００は、ユーザインタフェース部１０を情報処理部１２が制御することにより実施可能である。
【００２０】
外部メモリインタフェース手段１１０は、外部メモリ２にアクセスしてデータの入出力を行う。外部メモリインタフェース手段１１０は、外部メモリインタフェース部１１を情報処理部１２が制御することにより実施可能である。
【００２１】
インポート手段１２０は、外部メモリインタフェース手段１１０が外部メモリ２から読み出した画像形成装置１の使用状況ないし設定値を後述する記憶手段１３０に記憶する。インポート手段１２０は、情報処理部１２にて所定のプログラムを実行することで実施可能である。
【００２２】
エクスポート手段１２１は、後述する記憶手段１３０に記憶された画像形成装置１の使用状況ないし設定値を出力し、外部メモリインタフェース手段１１０により外部メモリに書き出す。エクスポート手段１２１は、情報処理部１２にて所定のプログラムを実行することで実施可能である。
【００２３】
記憶手段１３０は、画像形成装置１の使用状況ないし設定値を記憶する。画像形成装置１の使用状況とは、例えば画像形成装置１の印刷・スキャン・コピーなどの各機能の使用回数などが挙げられる。このとき、カラーとモノクロとに分けて集計したり、用紙サイズごとに集計したりしてもよい。画像形成装置１のユーザに対し、このような使用状況の値に基づき使用料を課金することができる。また、画像形成装置１の設定値とは、画像形成装置１が動作する際の設定の値であり、一例としては画像形成装置１をネットワーク接続するときのＩＰアドレス、サブネットマスク、デフォルトゲートウェイ、ＤＮＳサーバなどを示す値が該当する。記憶手段１３０は、記憶部１３にて実施可能である。
【００２４】
画像形成手段１４０は、入力された画像データの受け付けおよび画像データの出力の複合的な動作を行う。具体的には、光学的に入力される画像を電子データとして出力するスキャン、光学的に入力される画像を媒体に出力するコピー、公衆電話回線を介した画像の入出力であるファックス送受信や、ＬＡＮやＵＳＢ（登録商標）といった各種通信インタフェースを介して上位コンピュータから入力する画像を媒体に出力するネットワーププリントなどの処理を行う。画像形成手段１４０は、画像形成部１４を情報処理部１２が制御することにより実施可能である。
【００２５】
外部メモリ２の有するＲＡＭ２００は、データを読み書き可能な不揮発記憶領域である。ＲＡＭ２００へのデータの読み書きは、外部メモリインタフェース手段１１０により行うことができる。ＲＡＭ２００は、フラッシュメモリや磁気抵抗ＲＡＭ、抵抗変化型メモリ、強誘電体メモリなどにより実施可能である。
【００２６】
外部メモリ２の有するＲＯＭ２１０は、データを読み出し可能かつ書き込み不能であって識別情報が記録された記憶領域である。ＲＯＭ２１０には、外部メモリ２を識別するための一意な情報である識別情報が記録されている。ＲＯＭ２１０は、マスクＲＯＭやＰＲＯＭなどにより実施可能である。
【００２７】
外部メモリ２は、画像形成装置１の使用状況や設定値などを記憶することができる。外部メモリ２は、例えば図３のようなテーブルで情報を記憶する。
【００２８】
図３における設定情報は画像形成装置１の設定値に対応し、画像形成装置１に設定されるIPv4アドレスやIPv4サブネットマスクなどの値が項目ごとにＲＡＭ２００に記憶される。また、図３における課金情報は画像形成装置１の使用状況に対応し、画像形成装置１でのモノクロ印刷回数やカラー印刷回数などが項目ごとにＲＡＭ２００に記憶される。
【００２９】
図３における機器情報は画像形成装置１の機器情報に対応する。機器情報は、画像形成装置１を識別可能な情報である。例えば装置固有な製品機番を機器情報とすることができるが、これに限らない。機器情報は、ＲＡＭ２００に記憶される。
【００３０】
図３における外部メモリ固有情報は、外部メモリ２の識別情報に対応する。外部メモリ固有情報は、ＲＯＭ２１０に記憶される。
【００３１】
次に、本実施形態の画像形成装置１の動作を説明する。図４は、本実施形態の画像形成装置１におけるインポート処理のフローチャートである。図４を参照すると、本実施形態の画像形成装置１は、電源をオンされると（ステップＳ１０１）、インポートを指示されたかを判断する（ステップＳ１０２）。インポート処理の指示は、例えば図５に示す画像を表示したユーザインタフェース手段１００に対し、ユーザが「インポート」の選択をすることによりなされる。
【００３２】
インポートを指示されたと判断すると（Ｓ１０２：Ｙ）、画像形成装置１は、識別情報の照合を行う（ステップＳ１０３）。識別情報の照合は、外部メモリ２のＲＯＭ２１０から読み出した識別情報に対応する情報がＲＡＭ２００に書き込まれているか否かを判断することによって行う。また、インポートを指示されていないと判断すると（Ｓ１０２：Ｎ）、後述するステップＳ１０９に進む。
【００３３】
ここで、識別情報に対応する情報とは、ＲＯＭ２１０に記憶されている識別情報そのものであってもよいし、所定の暗号鍵により暗号化されたものであってもよい。このとき、識別情報に対応する情報として、識別情報に加えてその他の情報、例えば画像形成装置１の使用状況や設定値をあわせて所定の暗号鍵により暗号化されたものであってもよい。このようにすると、外部メモリ２と記憶されている情報との関係づけをより詳細なレベルで確認することができる。所定の暗号鍵は、記憶手段１３０に記憶されていてよい。この場合、画像形成装置１は、暗号化された識別情報に対応する情報を復号し、照合を行う。
【００３４】
また、識別情報に対応する情報は、識別情報に基づいて生成された誤り検出符号であってもよい。誤り検出符号とは、データの誤りを検出するための符号であり、例えばチェックサムであるが、それ以外の、ハッシュ関数により求められるハッシュ値などであってもよい。また、誤り検出符号は、識別情報にその他の情報を加えた情報に基づいて生成されるものであってよい。この場合、画像形成装置１は、識別情報に対応する情報に基づいて誤り検出符号を生成し、照合を行う。
【００３５】
識別情報の照合がＯＫ、すなわち外部メモリ２のＲＯＭ２１０から読み出した識別情報に対応する情報がＲＡＭ２００に書き込まれていると判断されると（Ｓ１０３：Ｙ）、画像形成装置１は、ＲＡＭ２００に機器情報が書き込まれているか否かを判断する（ステップＳ１０４）。また、識別情報の照合がＯＫでないと（Ｓ１０３：Ｎ）、後述するステップＳ１０７に進む。
【００３６】
ＲＡＭ２００に機器情報が書き込まれていないと判断されると（Ｓ１０４：Ｎ）、画像形成装置１は、ＲＡＭ２００から読み出した使用状況によって記憶手段１３０に記憶された使用状況を書き換える（ステップＳ１０５）。これにより、外部メモリ２から画像形成装置１に使用状況がインポートされる。続いて画像形成装置１は、機器情報をＲＡＭ２００に書き込む（ステップＳ１０６）。機器情報は、記憶手段１３０に記憶されていてもよいが、その他のメモリ、例えば情報処理部１２の実装される基板上にファームウェアとして搭載されていてもよい。
【００３７】
ＲＡＭ２００に機器情報が書き込まれていると判断されると（Ｓ１０４：Ｙ）、後述するステップＳ１０７に進む。使用状況の書き換えに伴いＲＡＭ２００に書き込まれる機器情報の有無により処理を分けることで、一度画像形成装置１への使用状況インポートに使用した外部メモリ２から別の画像形成装置１に使用状況インポートを禁止し、不正なデータ引き継ぎを防止している。
【００３８】
画像形成装置１は、ＲＡＭ２００から読み出した設定値により記憶手段１３０に記憶された設定値を書き換える（ステップＳ１０７）。これにより、外部メモリ２から画像形成装置１に設定値がインポートされる。続いて画像形成装置１は、外部メモリ２のＲＡＭ２００に所定のフラグを書き込む（ステップＳ１０８）。フラグは、後述するエクスポート処理において、他の画像形成装置１へのインポートに使用した外部メモリ２を使用状況のエクスポートに使用しないようにするために用いられる。
【００３９】
ステップＳ１０８を実行し、またはステップＳ１０２でインポートを指示されていないと判断した画像形成装置１は、電源オフが指示されているか否かを判断する（ステップＳ１０９）。電源オフが指示されていないと判断すると（Ｓ１０９：Ｎ）、ステップＳ１０２に戻る。電源オフが指示されていると判断すると（Ｓ１０９：Ｙ）、電源をオフし、処理を終了する。
【００４０】
続いて図６を参照し、画像形成装置１におけるエクスポート処理を説明する。図６は、本実施形態の画像形成装置１におけるエクスポート処理のフローチャートである。図６を参照すると、本実施形態の画像形成装置１は、電源をオンされると（ステップＳ２０１）、エクスポートを指示されたかを判断する（ステップＳ２０２）。エクスポート処理の指示は、例えば図７に示す画像を表示したユーザインタフェース手段１００に対し、ユーザが「エクスポート」の選択をすることによりなされる。また、エクスポートを指示されていないと判断すると（Ｓ２０２：Ｎ）、後述するステップＳ２０７に進む。
【００４１】
エクスポートを指示されたと判断すると（Ｓ２０２：Ｙ）、画像形成装置１は、外部メモリ２のＲＡＭ２００にフラグが書き込まれているか否かを判断する（ステップＳ２０３）。フラグは、インポート処理におけるステップＳ１０８で書き込まれるものである。
【００４２】
外部メモリ２のＲＡＭ２００にフラグが書き込まれていないと判断されると（Ｓ２０３：Ｎ）、画像形成装置１は、記憶手段１３０に記憶された使用状況を外部メモリ２のＲＡＭ２００に書き込む（ステップＳ２０４）。これにより、画像形成装置１の使用状況が外部メモリ２にエクスポートされる。一方、外部メモリ２のＲＡＭ２００にフラグが書き込まれていると判断されると（Ｓ２０３：Ｙ）、画像形成装置１は、使用状況の外部メモリ２への書き込みを行うことなく次の処理に進む。このようにフラグを確認することにより、他の画像形成装置１へのインポートに使用した外部メモリ２に対する使用状況を禁止することができる。
【００４３】
次に画像形成装置１は、記憶手段１３０に記憶された設定値を外部メモリ２のＲＡＭ２００に書き込む（ステップＳ２０５）。これにより、画像形成装置１の設定値が外部メモリ２にエクスポートされる。
【００４４】
画像形成装置１は、続いて、外部メモリ２のＲＯＭ２１０に記録された識別情報に対応する情報をＲＡＭ２００に書き込む（ステップＳ２０６）。識別情報に対応する情報は、上述したとおり、識別情報そのものであってもよいし、識別情報を暗号化した情報や識別情報に基づいて生成された誤り検出符号であってもよい。さらに、識別情報にその他の情報を加えて暗号化や誤り検出符号の生成を行ってもよい。
【００４５】
ステップＳ２０６を実行し、またはステップＳ２０２でエクスポートを指示されていないと判断した画像形成装置１は、電源オフが指示されているか否かを判断する（ステップＳ２０７）。電源オフが指示されていないと判断すると（Ｓ２０７：Ｎ）、ステップＳ２０２に戻る。電源オフが指示されていると判断すると（Ｓ２０７：Ｙ）、電源をオフし、処理を終了する。
【００４６】
このように画像形成装置１を構成することにより、外部メモリ２のＲＡＭ２００に記憶された情報を他の外部メモリ２のＲＡＭ２００にコピーしても、コピー元の外部メモリ２とコピー先の外部メモリ２とでは識別情報が異なるため、コピー先の外部メモリ２からインポートを行うことができない。このため、設定情報の不特定多数の機器への引き継ぎを防止することができる。
【００４７】
ここまで、画像形成装置１としての本発明の実施形態を説明したが、本発明はこのような形態に限らない。例えば、画像形成装置１が有するものとして説明した各機能ブロックを、複数の機器に分けて有するようにし、それらの機器をネットワークなどにより相互に接続した画像形成システムの形態で実施することも可能である。
【００４８】
図８は本発明の実施形態の画像形成システムの機能ブロック図である。本実施形態の画像形成システムは、画像形成装置１ａと画像形成装置１ｂとを有して構成される。それぞれの画像形成装置は、図２で説明した画像形成装置１と同様の機能ブロックを有するため、共通する説明は省略する。
【００４９】
本システムにおいては、画像形成装置１ａがインポート手段１２０ａを有し、画像形成装置１ｂがエクスポート手段１２１ｂを有している。これにより、画像形成装置１ｂの使用状況や設定情報をエクスポート手段１２１ｂにより外部メモリ２にエクスポートし、その外部メモリ２からインポート手段１２０ａにより画像形成装置１ａにインポート可能となる。このときのインポート手段１２０ａとエクスポート手段１２１ｂの動作は、画像形成装置１の動作として上述したとおりである。かかる手順により、画像形成装置１ｂから画像形成装置１ａに設定が引き継がれる。
【００５０】
なお、図示はしていないが、画像形成装置１ａがエクスポート手段を有していてもよく、画像形成装置１ｂがインポート手段を有していてもよいのは言うまでもない。
【００５１】
以上本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【００５２】
１、１ａ、１ｂ    画像形成装置
１０    ユーザインタフェース部
１１    外部メモリインタフェース部
１２    情報処理部
１３    記憶部
１４    画像形成部
１００、１００ａ、１００ｂ    ユーザインタフェース手段
１１０、１１０ａ、１１０ｂ    外部メモリインタフェース手段
１２０、１２０ａ、１２０ｂ    インポート手段
１２１、１２１ａ、１２１ｂ    エクスポート手段
１３０、１３０ａ、１３０ｂ    記憶手段
１４０、１４０ａ、１４０ｂ    画像形成手段
２    外部メモリ
２００    ＲＡＭ
２１０    ＲＯＭ
【先行技術文献】
【特許文献】
【００５３】
【特許文献１】特開２０１５‐３９８０５号公報
【図１】
2017074745.tif 000003
【図２】
2017074745.tif 000004
【図３】
2017074745.tif 000005
【図４】
2017074745.tif 000006
【図５】
2017074745.tif 000007
【図６】
2017074745.tif 000008
【図７】
2017074745.tif 000009
【図８】
2017074745.tif 000010